(57)【要約】【課題】外部装置の操作部により受け付けられた情報を表示装置の表示部に表示させる際、当該情報の秘匿性を保つこと。【解決手段】操作入力を受け付ける操作部１３により受け付けられた情報、又は外部装置１９の操作部１９Ａにより受け付けられた情報を表示する表示部１４を備えた表示装置において、操作部１３により受け付けられた情報を表示部１４に表示させる場合、操作部１３により受け付けられた情報の表示態様を変化させて表示部１４に表示させ、操作部１９Ａにより受け付けられた情報を表示部１４に表示させる場合、操作部１９Ａにより受け付けられた情報の表示形態を変化させないで表示部１４に表示させる制御部１０を備える。【選択図】図１
2009009193.tif 000002
【特許請求の範囲】
【請求項１】
操作入力を受け付ける第１の操作部により受け付けられた第１の情報、又は外部装置の第２の操作部により受け付けられた第２の情報を表示する表示部を備えた表示装置において、  
前記第１の情報を前記表示部に表示させる場合、前記第１の情報の表示態様を変化させて前記表示部に表示させ、前記第２の情報を前記表示部に表示させる場合、前記第２の情報の表示形態を変化させないで前記表示部に表示させる制御部を備える表示装置。
【請求項２】
前記制御部は、
前記第２の情報を前記表示部に表示させる場合、前記第２の情報の表示態様を変化させるか否かを判別し、前記第２の情報の表示態様を変化させると判別した場合は、当該第２の情報の表示態様を変化させて前記表示部に表示させ、前記第２の情報の表示態様を変化させないと判別した場合は、前記第２の情報の表示態様を変化させないで前記表示部に表示させる請求項１記載の表示装置。
【請求項３】
前記第１の操作部は、
前記第２の情報の表示形態を変化させるか否かを設定する設定操作を受け付け、
前記制御部は、
前記第１の操作部により受け付けられた設定操作に基づいて、前記第２の情報の表示態様を変化させるか否かを判別する請求項１又は２に記載の表示装置。
【請求項４】
前記制御部は、
前記第１の情報、又は前記第２の情報の表示態様を変化させて前記表示部に表示させる場合、前記第１の情報又は前記第２の情報の色、形状、又は文字を変化させて前記表示部に表示させる請求項１又は２に記載の表示装置。
【請求項５】
前記第２の情報は、
パスワード情報である請求項１から４のいずれか一項に記載の表示装置。
【請求項６】
操作入力を受け付ける第１の操作部により受け付けられた第１の情報、又は外部装置の第２の操作部により受け付けられた第２の情報を表示する表示部を備えた表示装置の表示方法において、  
前記第１の情報を前記表示部に表示させる場合、前記第１の情報の表示態様を変化させて前記表示部に表示させ、前記第２の情報を前記表示部に表示させる場合、前記第２の情報の表示形態を変化させないで前記表示部に表示させる制御工程を含む表示方法。
【発明の詳細な説明】
【技術分野】
【０００１】
本発明は、表示装置、及び表示方法に関する。
【背景技術】
【０００２】
従来より、操作部で受け付けられた情報を表示部に表示する技術が知られている。
【０００３】
例えば、プロジェクタ（表示装置）の本体にタッチパネル付きの表示部を備える技術が知られている（例えば、特許文献１参照）。当該技術により、タッチパネル（表示装置の操作部）又はリモコン装置（外部装置の操作部）で受け付けられた情報をタッチパネル（表示装置の表示部）に表示させることができる。
【０００４】
ここで、図７を参照して、表示装置の操作部又は外部装置の操作部により受け付けられた情報を表示装置の表示部に表示する画面例について説明する。図７は、表示装置の表示部における表示画面７１の例を示した図である。図７の上図は、ユーザにより「ａ」ボタン７１Ｃが押下された場合の画面を示している。すなわち、「ａ」ボタン７１Ｃが押下されると、「ａ」ボタン７１Ｃの表示色が変化することを示している。図７下図は、「ａ」ボタン７１Ｃからユーザの手が離れた場合の画面を示している。すなわち、「ａ」ボタン７１Ｃからユーザの手が離れると、「ａ」ボタン７１Ｃの表示色の変化はなくなることを示している。
また、外部装置の操作部（キーボード）により受け付けられた情報を表示装置の表示部に表示する場合も表示画面７１が表示される。この場合、ユーザにより外部装置の操作部の「ａ」ボタンが押下されると、「ａ」ボタン７１Ｃの表示色が変化して表示される（図７上図）。そして、外部装置の操作部の「ａ」ボタンからユーザの手が離れると、「ａ」ボタン７１Ｃの表示色の変化はなくなる（図７下図）。
【特許文献１】特開２００１−２１５４４４号公報
【発明の開示】
【発明が解決しようとする課題】
【０００５】
しかしながら、上述の技術では、外部装置の操作部により受け付けられた情報を表示装置の表示部に表示させる際、当該情報を他者に盗み見される可能性があった。
例えば、表示装置の操作部で操作される情報がパスワード等のセキュリティ性の高い情報であるとする。この場合、ユーザは、表示装置の表示部を他者が盗み見していることを察知しやすい。そうすると、ユーザは入力操作を停止するなどの措置により他者にパスワード等の情報が盗み見されることを回避することが可能である。
しかし、外部装置の操作部で操作される情報がパスワード等のセキュリティ性の高い情報の場合、ユーザは、表示装置の表示部を他者が盗み見していることを察知しにくい。そうすると、表示画面７１に表示されるボタンの表示色の変化を他者に読み取られる可能性がある。このため、パスワード等のセキュリティ性の高い情報が他者に漏洩する可能性があった。
【０００６】
本発明の課題は、外部装置の操作部により受け付けられた情報を表示装置の表示部に表示させる際、当該情報の秘匿性を保つことである。
【課題を解決するための手段】
【０００７】
上記課題を解決するため、請求項１に記載の発明の表示装置は、
操作入力を受け付ける第１の操作部により受け付けられた第１の情報、又は外部装置の第２の操作部により受け付けられた第２の情報を表示する表示部を備えた表示装置において、  
前記第１の情報を前記表示部に表示させる場合、前記第１の情報の表示態様を変化させて前記表示部に表示させ、前記第２の情報を前記表示部に表示させる場合、前記第２の情報の表示形態を変化させないで前記表示部に表示させる制御部を備える。
【０００８】
請求項２に記載の発明は、請求項１に記載の表示装置において、
前記制御部は、
前記第２の情報を前記表示部に表示させる場合、前記第２の情報の表示態様を変化させるか否かを判別し、前記第２の情報の表示態様を変化させると判別した場合は、当該第２の情報の表示態様を変化させて前記表示部に表示させ、前記第２の情報の表示態様を変化させないと判別した場合は、前記第２の情報の表示態様を変化させないで前記表示部に表示させる。
【０００９】
請求項３に記載の発明は、請求項１又は２に記載の表示装置において、
前記第１の操作部は、
前記第２の情報の表示形態を変化させるか否かを設定する設定操作を受け付け、
前記制御部は、
前記第１の操作部により受け付けられた設定操作に基づいて、前記第２の情報の表示態様を変化させるか否かを判別する。
【００１０】
請求項４に記載の発明は、請求項１又は２に記載の表示装置において、
前記制御部は、
前記第１の情報、又は前記第２の情報の表示態様を変化させて前記表示部に表示させる場合、前記第１の情報又は前記第２の情報の色、形状、又は文字を変化させて前記表示部に表示させる。
【００１１】
請求項５に記載の発明は、請求項１から４のいずれか一項に記載の表示装置において、前記第２の情報は、パスワード情報である。
【００１２】
請求項６に記載の発明の表示方法は、
操作入力を受け付ける第１の操作部により受け付けられた第１の情報、又は外部装置の第２の操作部により受け付けられた第２の情報を表示する表示部を備えた表示装置の表示方法において、前記第１の情報を前記表示部に表示させる場合、前記第１の情報の表示態様を変化させて前記表示部に表示させ、前記第２の情報を前記表示部に表示させる場合、前記第２の情報の表示形態を変化させないで前記表示部に表示させる制御工程を含む。
【発明の効果】
【００１３】
請求項１、６に記載の発明によれば、外部装置の第２の操作部により受け付けられた第２の情報の表示形態を変化させないで表示部に表示させることができる。これにより、外部装置の第２の操作部により受け付けられた情報を表示装置の表示部に表示させる際、当該情報の秘匿性を保つことができる。
【００１４】
請求項２に記載の発明によれば、第２の情報を表示部に表示させる場合、第２の情報を表示させるか否かを判別し、第２の情報の表示態様を変化させると判別した場合は、第２の情報の表示態様を変化させて表示部に表示させることができる。また、第２の情報の表示形態を変化させないと判別した場合は、第２の情報の表示態様を変化させないで表示部に表示させることができる。
【００１５】
請求項３に記載の発明によれば、第１の操作部により受け付けられた設定操作に基づいて、第２の情報の表示態様を変化させるか否かを判別することができる。これにより、ユーザは、第２の情報の表示態様を変化させるか否かの設定操作を行うことができる。
【００１６】
請求項４に記載の発明によれば、第１の情報、又は前記第２の情報の表示態様を変化させて前記表示部に表示させる場合に、色、形状、又は文字を変化させて表示部に表示させることができる。これにより、第１の情報、又は第２の情報の視認性を向上させることができる。
【００１７】
請求項５に記載の発明によれば、第２の情報は、パスワード情報とすることができる。
【発明を実施するための最良の形態】
【００１８】
以下、添付図面を参照して本発明に係る実施の形態を詳細に説明する。ただし、発明の範囲は図示例に限定されない。
【００１９】
図１〜図６を参照して、本発明に係る実施の形態を説明する。先ず、図１を参照して画像形成装置１の内部構成を説明する。表示装置としての画像形成装置１は、制御部１０と、画像入力部１１と、記憶部１２と、操作部１３と、表示部１４と、画像処理部１５と、プリント制御部１６と、プリント部１７と、通信部１８と、を備えて構成されている。また、画像形成装置１には外部装置１９及び後処理装置２０が接続されている。
【００２０】
制御部１０は、ＣＰＵ（Central Processing Unit）、ＲＡＭ（Random Access Memory）、ＲＯＭ（Read  Only  Memory）（以上、図示省略）等により構成され、画像形成装置１を構成する各機能に対する指示や、当該機能部間のデータ通信等を制御する。具体的には、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特に、ＲＯＭには、後述する特定モード設定プログラム、画面表示プログラムが記憶される。
【００２１】
また、制御部１０は、判別部１０Ａと、表示制御部１０Ｂと、を備える。
判別部１０Ａは、外部装置１９の操作部１９Ａにより受け付けられた情報の表示形態を変化させるか否かの判別を行う。具体的には、判別部１０Ａは、第２の情報としての操作部１９Ａにより受け付けられた情報を表示部１４に表示させる場合、当該情報の表示態様を変化させるか否かを判別する。ここで、表示態様とは、表示部１４に表示される情報の色、形状、又は文字の態様のことをいう。
また、上述の判別部１０Ａによる判別は、操作部１３により受け付けられた設定操作に基づいて行われる。すなわち、操作部１９Ａにより受け付けられた情報の表示態様を変化させるか否かの設定操作が操作部１３により受け付けられると、当該設定操作に基づいて、判別部１０Ａによる判別が行われる。
【００２２】
表示制御部１０Ｂは、操作部１３又は操作部１９Ａにより受け付けられた情報を表示部１４に表示させる。具体的には、表示制御部１０Ｂは、第１の情報としての操作部１３により受け付けられた情報を表示部１４に表示させる場合、操作部１３により受け付けられた情報の表示態様を変化させて表示部１４に表示させる。この場合、表示制御部１０Ｂは、操作部１３により受け付けられた情報の色、形状、又は文字を変化させて表示部１４に表示させる。
また、表示制御部１０Ｂは、操作部１９Ａにより受け付けられた情報の表示態様を変化させると判別部１０Ａが判別した場合、操作部１９Ａにより受け付けられた情報の表示態様を変化させて表示部１４に表示させる。この場合、表示制御部１０Ｂは、操作部１９Ａにより受け付けられた情報の色、形状、又は文字を変化させて表示部１４に表示させる。
さらに、表示制御部１０Ｂは、操作部１９Ａにより受け付けられた情報の表示態様を変化させないと判別部１０Ａが判別した場合、操作部１９Ａにより受け付けられた情報の表示態様を変化させないで表示部１４に表示させる。
【００２３】
画像入力部１１は、スキャナを備えて原稿画像を読み取り、その画像データを生成する。生成された画像データは制御部１０の制御により記憶部１２又はプリント制御部１６等に転送される。
【００２４】
記憶部１２は、ＨＤＤ（Hard Disk Drive）等の記憶媒体である。記憶部１２は、制御部１０の制御に従って画像データを記憶するとともに、当該画像データを制御部１０に出力する。また、記憶部１２には、後述する特定モード設定処理により設定された設定情報が記憶される。
【００２５】
操作部１３は、タッチパネルの他、操作キー（ハードキー）群を備えて構成されている。具体的には、操作部１３は、ユーザにより情報の操作入力を受け付けると、その操作入力に応じた操作信号を生成して制御部１０に出力する。
また、操作部１３は、外部装置１９の操作部１９Ａにより受け付けられた情報の表示形態を変化させるか否かの設定操作を受け付ける。当該設定操作は、後述する特定モード設定に該当する。
【００２６】
表示部１４は、タッチパネルと一体に構成されたディスプレイを備えている。表示部１４は、制御部１０の指示に従って、キーボード画面２１、２２、特定モード設定画面２３の各種画面を前記ディスプレイ上に表示させる。
【００２７】
画像処理部１５は、画像データに対して、階調変換処理、拡大／縮小処理等の各種データ処理を施す。
【００２８】
プリント制御部１６は、ＣＰＵ、ＲＡＭ等により構成されており、制御部１０からの指示に従ってプリント部１７のプリント動作を制御する。例えば、プリント動作の開始、停止、終了の動作制御の他、プリント用の画像データのプリント部１７への出力制御を行う。
【００２９】
プリント部１７は、入力されたプリント用の画像データに基づいて用紙上に画像形成を行う。プリント部１７のプリント方式としては、例えば電子写真方式、インクジェット方式等、何れのプリント方式を採用してもよい。電子写真方式では、レーザ光源から感光ドラム上にレーザ光を照射して露光を行い、静電潜像を形成する。これに現像部がトナーを付着させてできたトナー像を用紙に転写して画像形成を行う。
【００３０】
通信部１８は、ネットワークインターフェイスカード、ＦＡＸモデム等の通信用インターフェイスを備え、ネットワーク上の外部装置１９とデータ通信を行う。
【００３１】
外部装置１９は、操作部１９Ａにより受け付けられた情報を画像形成装置１に送信するＰＣである。外部装置１９は、操作部１９Ａを備えて構成される。
【００３２】
操作部１９Ａは、カーソルキー、数字入力キー及び各種機能キーなどを備えたキーボードを含む。具体的には、操作部１９Ａは、ユーザによりキーボードで押下された押下信号を外部装置１９の制御部（図示省略）に出力する。そして、外部装置１９の制御部（図示省略）は、押下信号を通信部１８に出力する。通信部１８は、押下信号を画像形成装置１の制御部１０に送信する。制御部１０は、押下信号を受信すると、当該受信した押下信号に基づいて、キーボード画面２１又は２２を表示部１４に表示させる。
【００３３】
後処理装置２０は、制御部１０の制御に従い、プリント部１７から用紙（画像形成されているもの）に対し、各種後処理を施す。後処理としては、パンチ処理、中綴じ処理、ステープル処理、製本処理等の種々の処理が挙げられる。
【００３４】
次に、図２を参照して、操作部１３により受け付けられた情報の表示態様を変化させて表示部１４に表示する場合について説明する。図２は、キーボード画面２１の例を示した図である。キーボード画面２１とは、操作部１３の操作キー（キーボード）を表示部１４に表示した画面のことをいう。ユーザは、表示部１４に表示されたキーボード画面２１上のソフトキーである各種ボタン２１Ａを押下することにより情報の操作入力を行う。各種ボタン２１Ａの押下情報は、文字表示部２１Ｂに表示される。例えば、「＊＊＊＊」と文字表示部２１Ｂに表示される。
ここで、例えば、ユーザにより、「ａ」ボタン２１Ｃが押下されたとする。この場合、図２上図に示すように、「ａ」ボタン２１Ｃの表示色が変化する。これにより、ユーザは、「ａ」ボタン２１Ｃが押下されたことを視覚的に確認することができる。その後、「ａ」ボタン２１Ｃからユーザの手が離れると、図２下図に示すように、「ａ」ボタン２１Ｃの表示色の変化はなくなる。
【００３５】
次に、図３を参照して、操作部１９Ａにより受け付けられた情報の表示態様を変化させずに表示部１４に表示する場合について説明する。図３は、キーボード画面２２の例を示した図である。キーボード画面２２とは、操作部１９Ａのキーボードを表示部１４に表示した画面のことをいう。ユーザは、操作部１９Ａのキーボードを押下することにより情報の操作入力を行う。操作部１９Ａのキーボードにより押下された情報は、文字表示部２２Ｂに表示される。例えば、「＊＊＊＊」と文字表示部２２Ｂに表示される。
ここで、例えば、ユーザにより操作部１９Ａの「ａ」ボタンが押下されたとする。この場合、図３上図に示すように「ａ」ボタン２２Ｃの表示色は変化せずに表示される。すなわち、「ａ」ボタン２２Ｃの表示態様は変化せずに表示される。その後、操作部１９Ａの「ａ」ボタンからユーザの手が離れたとする。この場合、図３の下図に示すように、「ａ」ボタン２２Ｃの表示色は変化せずに表示される。
【００３６】
次に、図４を参照して、特定モード設定について説明する。図４は、表示部１４に表示される特定モード設定画面２３の例を示した図である。ここで、特定モード設定とは、操作部１９Ａを介して受け付けられた情報の表示態様を変化させるか否かの切り替えを設定することをいう。ここで、操作部１９Ａを介して受け付けられた情報とは、パスワード情報のことをいう。パスワード情報とは、サービスマン認証パスワード、機械管理者認証パスワード、個人ユーザ認証パスワード、その他のパスワードのことをいう。サービスマン認証パスワードとは、画像形成装置１のサービスマンの認証用のパスワードのことをいう。機械管理者認証パスワードとは、画像形成装置１の管理者の認証用のパスワードのことをいう。個人ユーザ認証パスワードとは、画像形成装置１のユーザの認証用のパスワードのことをいう。その他のパスワードとは、例えば、スキャンした画像データファイルに設定されたパスワードのことをいう。以下、特定モード設定の設定項目として、「サービスマン認証パスワード入力」、「機械管理者パスワード入力」、「個人ユーザ認証パスワード入力」、「その他のパスワード入力」を例として説明する。
「サービスマン認証パスワード入力」とは、サービスマンを認証するためのパスワードの表示形態を切り替えるか否かを設定する項目のことをいう。例えば、図４に示すように、「なし」が設定された場合、サービスマンを認証するためのパスワードの表示形態は変化しない。すなわち、表示部１４には、図３で説明したキーボード画面２２が表示される。また、「あり」が設定された場合、サービスマンを認証するためのパスワードの表示形態は変化する。すなわち、表示部１４には、図２で説明したキーボード画面２１が表示される。
「機械管理者パスワード入力」とは、画像形成装置１の管理者を認証するためのパスワードの表示形態を切り替えるか否かを設定する項目のことをいう。例えば、図４に示すように、「なし」が設定された場合、機械管理者を認証するためのパスワードの表示形態は変化しない。すなわち、表示部１４には、図３で説明したキーボード画面２２が表示される。また、「あり」が設定された場合、機械管理者を認証するためのパスワードの表示形態は変化する。すなわち、表示部１４には、図２で説明したキーボード画面２１が表示される。
「個人ユーザ認証パスワード入力」とは、画像形成装置１を使用する個人ユーザを認証するためのパスワードの表示形態を切り替えるか否かを設定する項目のことをいう。例えば、図４に示すように、「あり」が設定された場合、個人ユーザを認証するためのパスワードの表示形態は変化する。すなわち、表示部１４には、図２で説明したキーボード画面２１が表示される。また、「なし」が設定された場合、個人ユーザを認証するためのパスワードの表示形態は変化しない。すなわち、表示部１４には、図３で説明したキーボード画面２２が表示される。
「その他のパスワード入力」とは、ファイルに設定されたパスワードの表示形態を切り替えるか否かを設定する項目のことをいう。例えば、図４に示すように、「あり」が設定された場合、ファイルに設定されたパスワードの表示形態は変化する。すなわち、表示部１４には、図２で説明したキーボード画面２１が表示される。また、「なし」が設定された場合、ファイルに設定されたパスワードの表示形態は変化しない。すなわち、表示部１４には、図３で説明したキーボード画面２２が表示される。
【００３７】
次に、図５を参照して、特定モード設定処理について説明する。特定モード設定処理とは、操作部１３を介して特定モードを設定する処理のことをいう。
【００３８】
例えば、画像形成装置１において、ユーザより特定モード設定処理の実行指示が操作部１３を介して操作されたこと等をトリガとして、ＲＯＭから読み出されて適宜ＲＡＭに展開された特定モード設定プログラムと、制御部１０のＣＰＵとの協働により特定モード設定処理が実行される。  
【００３９】
先ず、ユーザによるサービスマン認証パスワードの表示形態切り替え有無の入力が操作部１３を介して受け付けられる（ステップＳ１０１）。すなわち、ユーザによるサービスマン認証パスワードの表示形態を変化させるか否かの選択設定の入力が操作部１３を介して受け付けられる。このステップは、図４の「サービスマン認証パスワード入力」において、「あり」又は「なし」を選択する操作に該当する。そして、ユーザによる機械管理者認証パスワードの表示形態切り替え有無の入力が操作部１３を介して受け付けられる（ステップＳ１０２）。すなわち、ユーザによる機械管理者認証パスワードの表示形態を変化させるか否かの選択設定の入力が操作部１３を介して受け付けられる。このステップは、図４の「機械管理者認証パスワード入力」において、「あり」又は「なし」を選択する操作に該当する。そして、ユーザによる個人ユーザ認証パスワードの表示形態切り替え有無の入力が操作部１３を介して受け付けられる（ステップＳ１０３）。すなわち、ユーザによる個人ユーザ認証パスワードの表示形態を変化させるか否かの選択設定の入力が操作部１３を介して受け付けられる。このステップは、図４の「個人ユーザ認証パスワード入力」において、「あり」又は「なし」を選択する操作に該当する。そして、ユーザによるその他のパスワードの表示形態の切り替え有無の入力が操作部１３を介して受け付けられる（ステップＳ１０４）。例えば、ファイルに設定されたパスワードの表示形態を切り替えるか否かの選択設定の入力が操作部１３を介して受け付けられる。このステップは、図４の「その他のパスワード入力」において、「あり」又は「なし」を選択する操作に該当する。ステップＳ１０４の実行後、設定情報が記憶部１２に記憶される（ステップＳ１０５）。ここで設定情報とは、サービスマン認証パスワードの表示形態を変化させるか否かの選択設定の情報、機械管理者認証パスワードの表示形態を変化させるか否かの選択設定の情報、個人ユーザ認証パスワードの表示形態を変化させるか否かの選択設定の情報、又はファイルに設定されたパスワードの表示形態を切り替えるか否かの選択設定の情報のことをいう。ステップＳ１０５の実行後、特定モード設定処理は終了する。
【００４０】
次に、図６を参照して、画面表示処理について説明する。画面表示処理は、キーボード画面２１、又はキーボード画面２２を表示部に表示させる処理である。
【００４１】
例えば、画像形成装置１において、ユーザによる操作指示が操作部１３又は操作部１９Ａを介して受け付けられたこと等をトリガとして、ＲＯＭから読み出されて適宜ＲＡＭに展開された画面表示プログラムと、制御部１０のＣＰＵとの協働により画面表示処理が実行される。  
【００４２】
先ず、受け付けられた操作指示が操作部１３からの操作指示であるか否かが判別される（ステップＳ２０１）。操作部１３からの操作指示であると判別された場合（ステップＳ２０１；ＹＥＳ）、操作キーの表示色が変化されて表示部１４に表示される（ステップＳ２０２）。例えば、図２の「ａ」ボタン２１Ｃが操作キーとして押下された場合、「ａ」ボタン２１Ｃの表示色が変化されて表示部１４に表示される。ステップＳ２０２の実行後、画面表示処理は終了する。
【００４３】
ステップＳ２０２において、操作部１３からの操作指示でないと判別された場合（ステップＳ２０２；ＮＯ）、サービスマン認証パスワードの入力時であるか否かが判別される（ステップＳ２０３）。すなわち、サービスマン認証パスワードの入力受け付け時であるか否かが判別される。サービスマン認証パスワードの入力時であると判別された場合（ステップＳ２０３；ＹＥＳ）、記憶部１２に記憶されたサービスマン認証パスワードの表示形態を変化させるか否かの選択設定の情報に基づいて、サービスマン認証パスワードの表示形態の切り替えがあるか否かが判別される（ステップＳ２０４）。
【００４４】
ステップＳ２０４において、サービスマン認証パスワードの表示形態の切り替えがあると判別された場合（ステップＳ２０４；ＹＥＳ）、ステップＳ２０２に移行される。
【００４５】
ステップＳ２０４において、サービスマン認証パスワードの表示形態の切り替えがないと判別された場合（ステップＳ２０４；ＮＯ）、操作キーが通常表示される（ステップＳ２１０）。例えば、図３の「ａ」ボタン２２Ｃが操作キーとして押下された場合、「ａ」ボタン２２Ｃの表示色が変化せずに表示部１４に表示される。
【００４６】
ステップＳ２０３において、サービスマン認証パスワードの入力時でないと判別された場合（ステップＳ２０３；ＮＯ）、機械管理者認証パスワードの入力時であるか否かが判別される（ステップＳ２０５）。すなわち、機械管理者認証パスワードの入力受け付け時であるか否かが判別される。機械管理者認証パスワードの入力時であると判別された場合（ステップＳ２０５；ＹＥＳ）、記憶部１２に記憶された機械管理者認証パスワードの表示形態を変化させるか否かの選択設定の情報に基づいて、機械管理者認証パスワードの表示形態の切り替えがあるか否かが判別される（ステップＳ２０６）。
【００４７】
ステップＳ２０６において、機械管理者認証パスワードの表示形態の切り替えがあると判別された場合（ステップＳ２０６；ＹＥＳ）、ステップＳ２０２に移行される。
【００４８】
ステップＳ２０６において、機械管理者認証パスワードの表示形態の切り替えがないと判別された場合（ステップＳ２０６；ＮＯ）、ステップＳ２１０に移行される。例えば、図３の「ａ」ボタン２２Ｃが操作キーとして押下された場合、「ａ」ボタン２２Ｃの表示色が変化せずに表示部１４に表示される。
【００４９】
ステップＳ２０５において、機械管理者認証パスワードの入力時でないと判別された場合（ステップＳ２０５；ＮＯ）、個人ユーザ認証パスワードの入力時であるか否かが判別される（ステップＳ２０７）。すなわち、個人ユーザ認証パスワードの入力受け付け時であるか否かが判別される。個人ユーザ認証パスワードの入力時であると判別された場合（ステップＳ２０７；ＹＥＳ）、記憶部１２に記憶された個人ユーザ認証パスワードの表示形態を変化させるか否かの選択設定の情報に基づいて、個人ユーザ認証パスワードの表示形態の切り替えがあるか否かが判別される（ステップＳ２０８）。
【００５０】
ステップＳ２０８において、個人ユーザ認証パスワードの表示形態の切り替えがあると判別された場合（ステップＳ２０８；ＹＥＳ）、ステップＳ２０２に移行される。
【００５１】
ステップＳ２０８において、個人ユーザ認証パスワードの表示形態の切り替えがないと判別された場合（ステップＳ２０８；ＮＯ）、ステップＳ２１０に移行される。例えば、図３の「ａ」ボタン２２Ｃが操作キーとして押下された場合、「ａ」ボタン２２Ｃの表示色が変化せずに表示部１４に表示される。
【００５２】
ステップＳ２０７において、個人ユーザ認証パスワードの入力時でないと判別された場合（ステップＳ２０７；ＮＯ）、その他のパスワードの表示形態の切り替えがあるか否かが判別される（ステップＳ２０９）。例えば、スキャンしたファイルのパスワードの表示形態を切り替えがあるか否かが判別される。その他のパスワードの表示形態の切り替えがあると判別された場合（ステップＳ２０９；ＹＥＳ）、ステップＳ２０２に移行される。
【００５３】
ステップＳ２０９において、その他のパスワードの表示形態の切り替えがないと判別された場合（ステップＳ２０９；ＮＯ）、ステップＳ２１０に移行される。例えば、図３の「ａ」ボタン２２Ｃが操作キーとして押下された場合、「ａ」ボタン２２Ｃの表示色が変化せずに表示部１４に表示される。ステップＳ２１０の実行後、画面表示処理は終了する。
【００５４】
以上、本実施の形態によれば、外部装置１９の操作部１９Ａにより受け付けられた情報の表示形態を変化させないで表示部１４に表示させることができる。これにより、外部装置１９の操作部１９Ａにより受け付けられた情報を表示部１４に表示させる際、当該情報の秘匿性を保つことができる。
【００５５】
また、操作部１９Ａにより受け付けられた情報を表示部１４に表示させる場合、操作部１９Ａにより受け付けられた情報を表示させるか否かを判別することができる。これにより、操作部１９Ａにより受け付けられた情報の表示態様を変化させると判別した場合は、の表示態様を変化させて表示部１４に表示させることができる。また、操作部１９Ａにより受け付けられた情報の表示形態を変化させないと判別した場合は、操作部１９Ａにより受け付けられた情報の表示態様を変化させないで表示部１４に表示させることができる。
【００５６】
また、操作部１３により受け付けられた設定操作に基づいて、操作部１９Ａにより受け付けられた情報の表示態様を変化させるか否かを判別することができる。これにより、ユーザは、操作部１９Ａにより受け付けられた情報の表示態様を変化させるか否かの設定操作を行うことができる。
【００５７】
また、操作部１３により受け付けられた情報又は操作部１９Ａにより受け付けられた情報を表示部１４に表示させる場合に、色、形状、又は文字を変化させて表示部１４に表示させることができる。これにより、操作部１３により受け付けられた情報、又は操作部１９Ａにより受け付けられた情報の視認性を向上させることができる。
【００５８】
また、操作部１９Ａにより受け付けられた情報は、パスワード情報とすることができる。
【００５９】
なお、上記実施の形態における記述は、本発明に係る画像形成装置１の一例であり、これに限定されるものではない。
【００６０】
例えば、上記実施の形態では、表示形態の変化として、情報の色を変化させることとしたが、情報の形状、文字を変化させることとしてもよい。具体的には、「ａ」ボタン２１Ｃの形状や、「ａ」ボタン２１Ｃの「ａ」の文字部分の大きさ、種類、表現（文字筆）等を変化させることとしてもよい。
【００６１】
また、操作部１３を介してユーザにより設定された設定情報に基づいて、操作部１９Ａにより受け付けられた情報の表示態様を変化させるか否かを判別することとしたが、これに限定されるものではない。例えば、設定情報を、予め定められたデフォルト情報としてもよい。
【００６２】
また、操作部１９Ａのキーボードで押下された押下信号を通信部１８を介して制御部１０に出力する構成としたが、これに限定されるものではない。例えば、通信部１８を介さずに操作部１９Ａと画像形成装置１とが直接通信接続する構成としてもよい。この場合、操作部１９Ａは、押下信号を制御部１０に出力する。そして、制御部１０は、押下信号に基づいて、キーボード画面２１又は２２を表示部１４に表示させる。
【００６３】
その他、上記実施の形態における画像形成装置１の細部構成及び詳細動作に関しても、本発明の趣旨を逸脱しない範囲で適宜変更可能である。
【図面の簡単な説明】
【００６４】
【図１】本発明に係る画像形成装置の構成図例を示した図である。
【図２】キーボード画面例を示した図である。
【図３】キーボード画面例を示した図である。
【図４】特定モード設定画面例を示した図である。
【図５】特定モード設定処理を示すフローチャートである。
【図６】画面表示処理を示すフローチャートである。
【図７】従来の表示装置の表示部に表示される画面例を示した図である。
【符号の説明】
【００６５】
１       画像形成装置
１０     制御部
１０     制御部
１０Ａ   判別部
１０Ｂ   表示制御部
１１     画像入力部
１２     記憶部
１３，１９Ａ  操作部
１４     表示部
１５     画像処理部
１６     プリント制御部
１７     プリント部
１８     通信部
１９     後処理装置
１９     外部装置
２０     後処理装置
２１，２２    キーボード画面
２３     特定モード設定画面
【図１】
2009009193.tif 000003
【図２】
2009009193.tif 000004
【図３】
2009009193.tif 000005
【図４】
2009009193.tif 000006
【図５】
2009009193.tif 000007
【図６】
2009009193.tif 000008
【図７】
2009009193.tif 000009